(57)【要約】【課題】一対の軒樋止まり部材を簡単に且つコンパクトにセットすることができ、施工の際に切断除去の作業が不要で切断屑が発生しない止まりセットを提供することを目的とする。【解決手段】軒樋Ｆの両端部に嵌合固着される一対の軒樋止まり部材１Ａ、１Ｂからなる止まりセットであって、前記軒樋止まり部材１Ａ、１Ｂの止水壁本体部１０の上端縁を除く端縁内側面には軒樋Ｆの外周に嵌合する外周リブ１１が形成され、該外周リブ１１の上端部に軒樋Ｆの耳部３１、３２を係合する耳把持部１２、１３が形成され、該耳把持部１２には側縁から係合片１４が内側方に突出して形成され、内側面中程には前記外周リブ１１と間隔を開けて軒樋端部が挿入される挿入溝１６が設けられており、一対の軒樋止まり部材の内側面１ａ、１ｂ同士を対向させて互い違いに重ね合わせることにより前記係合片１４が挿入溝１６に嵌入されている。【選択図】      図１
2004293205.tif 000002
【特許請求の範囲】
【請求項１】
軒樋の両端部に嵌合固着される一対の軒樋止まり部材からなる止まりセットであって、前記軒樋止まり部材の止水壁本体部の上端縁を除く端縁内側面には軒樋の外周に嵌合する外周リブが形成され、該外周リブの上端部に軒樋の耳部を係合する耳把持部が形成され、該耳把持部には側縁から係合片が内側方に突出して形成され、内側面中程には前記外周リブと間隔を開けて軒樋端部が挿入される挿入溝が設けられており、一対の軒樋止まり部材の内側面同士を対向させて互い違いに重ね合わせることにより前記係合片が挿入溝に嵌入されていることを特徴とする止まりセット。
【請求項２】
係合片の肉厚が先細りとなるテーパ状に形成されていることを特徴とする請求項１記載の止まりセット。
【発明の詳細な説明】
【０００１】
【発明の属する技術分野】
本発明は、一対の軒樋止まり部材が互いに係脱可能に重ね合わされてなる止まりセットに関する。
【０００２】
【従来の技術】
従来から一般に、軒樋止まり部材は軒樋の端部に嵌合固着され軒樋の端部を閉塞し、軒樋の端部から雨水が流出するのを防止するものとして周知である。
通常、軒樋の一方の端部に軒樋止まり部材が嵌合固着されるときには、同じ軒樋の他方の端部にも軒樋止まり部材が固着されるので、施工の際には一対の軒樋止まり部材が必要となっている。
【０００３】
ところで、軒樋が前後非対称形状である場合には、軒樋の両端部に嵌合固着される軒樋止まり部材も前後非対称形状となって、一対の軒樋止まり部材が相互に異なる形状となる。この場合、一対の軒樋止まり部材が別々であると、生産工場や施工現場等での部材管理が煩瑣である。
そのため従来から、一対の軒樋止まり部材は接続片を介して合成樹脂で一体に形成することにより止まりセットとして提供されていた（例えば、特許文献１を参照。）。
【０００４】
【特許文献１】
特開２００１−１８２２３９号公報（図１及び図５）
【０００５】
【発明が解決しようとする課題】
しかしながら、従来の止まりセットにあっては、梱包や輸送の際に扱い易く、施工のとき左右セットであるのでそのまま間違わずに取り付けることができ部材管理が容易であるが、梱包時の容積が大きくなるという問題があった。また、施工時に接続片を切断する必要があり、切断した跡を綺麗に仕上げるため手間がかかるうえに切除した接続片は廃棄物として排出されるという問題があった。
【０００６】
本発明は、このような事情に鑑みて、一対の軒樋止まり部材を簡単に且つコンパクトにセットすることができ、施工の際に切断除去の作業が不要で切断屑が発生しない止まりセットを提供することを目的としている。
【０００７】
【課題を解決するための手段】
このような目的を達成するために、請求項１記載の止まりセットは、軒樋の両端部に嵌合固着される一対の軒樋止まり部材からなる止まりセットであって、前記軒樋止まり部材の止水壁本体部の上端縁を除く端縁内側面には軒樋の外周に嵌合する外周リブが形成され、外周リブの上端部に軒樋の耳部を係合する耳把持部が形成され、この耳把持部の上側縁に係合片が内側方に突出して形成され、内側面中程には前記外周リブと間隔を開けて軒樋端部が挿入される挿入溝が設けられており、一対の軒樋止まり部材の内側面同士を対向させて互い違いに重ね合わせることにより前記係合片が挿入溝に嵌入されていることを特徴としている。
【０００８】
請求項１記載の止まりセットでは、軒樋の両端部に嵌合固着される一対の軒樋止まり部材からなる止まりセットであって、前記軒樋止まり部材の止水壁本体部の上端縁を除く端縁内側面には軒樋の外周に嵌合する外周リブが形成され、この外周リブの上端部に軒樋の耳部を係合する耳把持部が形成され、この耳把持部の上側縁に係合片が内側方に突出して形成され、内側面中程には前記外周リブと間隔を開けて軒樋端部が挿入される挿入溝が設けられており、一対の軒樋止まり部材の内側面同士を対向させて互い違いに重ね合わせたときに前記係合片が挿入溝に嵌入されているので、一対の軒樋止まり部材は互いにずれないように規制されてがたつくことなくセットすることができ、梱包容積はほぼ半分になる。また、使用に際しては外観の見栄えが損なわれることがない。
【０００９】
請求項２記載の止まりセットは、請求項１記載の止まりセットにおいて、係合片の肉厚が先細りとなるテーパ状に形成されていることを特徴としている。
【００１０】
請求項２記載の止まりセットでは、係合片の肉厚が先細りとなるテーパ状に形成されているので、係合片は挿入溝への挿脱が容易となり、確実に嵌合することができる。
【００１１】
【発明の実施の形態】
以下に本発明の実施の形態について図面を参照しながら説明する。
【００１２】
図１は本発明の止まりセットの一実施例を示す正面図、図２は図１におけるＣ−Ｃ線矢視の断面図、図３は図２の要部拡大断面図、図４は同止まりセットにおける一方の軒樋止まり部材を示す斜め背方から見た斜視図、図５は同じく一方の軒樋止まり部材の背面図、図６は図５におけるＤ−Ｄ線矢視の断面図、図７は同止まりセットにおける他方の軒樋止まり部材を示す背面図、図８は図７におけるＥ−Ｅ線矢視の断面図である。
【００１３】
図１〜３に示すように、止まりセットは、一対の軒樋止まり部材１Ａ、１Ｂの内側面１ａ、１ｂ同士がそれぞれ対向するように互い違いに配設して重ね合わされている。
【００１４】
一対の軒樋止まり部材１Ａ、１Ｂは、図４〜８にも示すように、軒樋Ｆの両端部に嵌合固着されて軒樋Ｆの端部を閉塞し、同軒樋Ｆの端部から雨水が流出するのを防止するもので、軒樋Ｆと同様の樹脂で形成され、軒樋Ｆの断面形状と略同じ形状の止水壁本体部１０と、この止水壁本体部１０の上端縁を除く周縁から直交する方向に軒樋Ｆの外周面を嵌合する外周リブ１１とから形成されている。
【００１５】
本実施例では、外周リブ１１は軒樋Ｆの外周面に対接するように屈曲形成されており、前側部が後側部より高く形成されており、前後両端部分に軒樋Ｆの両耳３１、３２にそれぞれ係合される前耳把持部１２と後耳把持部１３が形成されている。
前耳把持部１２は、断面コ字状に形成されており、外周リブ１１の上端から屋外側に水平に屈曲した下辺部１２１と、この下辺部１２１から上方に屈曲した縦辺部１２２と、この縦辺部１２２から屋内側に向け屈曲した上辺部１２３とから構成されている。
【００１６】
また本実施例では、前耳把持部１２の上辺部１２３の側縁から内側方向に係合片１４が突出して形成されており、止水壁本体部１０の内側面１ａ（１ｂ）中程には前記外周リブ１１と間隔を開けて膨出段部１５が一体に形成されており、この膨出段部１５と外周リブ１１との間隔に上記軒樋Ｆの端部が挿入される挿入溝１６となっている。
【００１７】
そして、一対の軒樋止まり部材１Ａ、１Ｂの内側面１０ａ、１０ｂを対向させ互い違いに重ね合わせたときに、上記挿入溝１６には前耳把持部１２の上辺部１２３に設けられた係合片１４が挿入され係合するようになっている。
【００１８】
このような止まりセットは、成形工場おいて一対の軒樋止まり部材１Ａ、１Ｂが射出成形されたあと、一対の軒樋止まり部材１Ａ、１Ｂの内側面１ａ、１ｂを対向させ互い違いに重ね合わせて、挿入溝１６に係合片１４を挿入して係合し組み立て、タンボール箱等に複数セットを集積して梱包される。
施工の際には、ダンボール箱から止まりセットを取り出し、互い違いに重なり合っている軒樋止まり部材１Ａ、１Ｂの挿入溝１６から係合片１４を外すだけで軒樋止まり部材１Ａ、１Ｂを分離することができ、それぞれの軒樋止まり部材１Ａ、１Ｂを軒樋Ｆの端部に嵌合固着すればよい。
【００１９】
以上、本発明実施の形態を図面に基づいて説明してきたが、具体的な構成はこの実施例のものに限られるものではなく本発明の要旨を逸脱しない範囲の設計変更等があっても本発明に含まれる。
【００２０】
例えば、係合片１４を前耳把持部１２の上辺部１２３に設けたが縦辺部１２２に設けてもよいし、また上辺部１２３と縦辺部１２２との隅部に設けてもよい。更にまた、係合片１４を後耳把持部１３に設けてもよい。
【００２１】
また、止水壁本体部１０の内側面中程には前記外周リブ１１と間隔を開けて膨出段部１５を一体に形成したが、外周リブ１１と間隔を開けて止水壁本体部１０の内周面側に向けて軒樋Ｆの端部内周に沿うように内周リブを突設して、この内周リブと外周リブ１１との間隔を挿入溝としてもよい。
【００２２】
更にまた、係合片の肉厚は先細りとなるようにテーパ状に形成されていてもよい。この場合、係合片が嵌入される挿入溝もテーパ状に形成されていれば、より好ましい。
【００２３】
【発明の効果】
以上説明したように、本発明の請求項１記載の止まりセットにあっては、軒樋の両端部に嵌合固着される一対の軒樋止まり部材からなる止まりセットであって、前記軒樋止まり部材の止水壁本体部の上端縁を除く端縁内側面には軒樋の外周に嵌合する外周リブが形成され、この外周リブの上端部に軒樋の耳部を係合する耳把持部が形成され、この耳把持部に係合片が内側方に突出して形成され、内側面中程には前記外周リブと間隔を開けて軒樋端部が挿入される挿入溝が設けられており、一対の軒樋止まり部材の内側面同士を対向させて互い違いに重ね合わせることにより前記係合片が挿入溝に嵌入されているので、一対の軒樋止まり部材は互いにずれないように規制されることになる。
【００２４】
従って、一対の軒樋止まり部材をがたつくことなく簡単に且つコンパクトにセットすることができ、段ボール箱からの取り出しが楽に行え、施工の際に切断除去の作業が不要となる。従って、梱包、保管、輸送の効率が向上し、また、施工作業が簡単で切断屑のゴミが発生しなく、綺麗に仕上がる。
【００２５】
請求項２記載の止まりセットでは、係合片の肉厚が先細りとなるテーパ状に形成されているので、係合片は挿入溝への挿脱が容易となり、確実に嵌合することができ、一対の軒樋止まり部材のセット作業が楽になる。
【図面の簡単な説明】
【図１】本発明の止まりセットの一例を示す正面図である。
【図２】図１におけるＣ−Ｃ線矢視の断面図である。
【図３】同上止まりセットの要部拡大断面図である。
【図４】同止まりセットにおける一方の軒樋止まり部材を示す斜め背方から見た斜視図である。
【図５】同じく一方の軒樋止まり部材の背面図である。
【図６】図５におけるＤ−Ｄ線矢視の断面図である。
【図７】同止まりセットにおける他方の軒樋止まり部材を示す背面図である。
【図８】図７におけるＥ−Ｅ線矢視の断面図である。
【符号の説明】
１Ａ、１Ｂ      軒樋止まり部材
１ａ、１ｂ    内側面
１０          止水壁本体部
１１          外周リブ
１２、１３    耳把持部
１４          係合片
１５          膨出段部
１６          挿入溝
【図１】
2004293205.tif 000003
【図２】
2004293205.tif 000004
【図３】
2004293205.tif 000005
【図４】
2004293205.tif 000006
【図５】
2004293205.tif 000007
【図６】
2004293205.tif 000008
【図７】
2004293205.tif 000009
【図８】
2004293205.tif 000010